【手続補正書】
【提出日】平成15年11月18日(2003.11.18)
【手続補正１】
【補正対象書類名】特許請求の範囲
【補正対象項目名】全文
【補正方法】変更
【補正の内容】
【特許請求の範囲】
【請求項１】
接着剤を用いない設置に適切なクッション裏打ちカーペットタイルであって、上部織物面及びフォーム材料層を含み、前記フォーム材料層は前記上部織物面の下に機能的に固定されており、前記フォーム材料層は前記上部織物面に対する押圧力にクッション性を提供するように適合されており、前記カーペットタイルは複数のコーナーを有し、前記コーナーのそれぞれは約３／１６”以下のカップ及び約１／１６”以下のカールを有するクッション裏打ちカーペットタイル。
【請求項２】
前記コーナーのそれぞれは約２／１６”以下のカップ及び約１／３２”以下のカールを有する請求項１に記載のクッション裏打ちカーペットタイル。
【請求項３】
前記クッション裏打ちカーペットタイルは、その剥離強度よりも高い滑り摩擦係数を有する請求項１に記載のクッション裏打ちカーペットタイル。
【請求項４】
前記上部織物面はパイル織物である請求項１に記載のクッション裏打ちカーペットタイル。
【請求項５】
相互に突き合わされて位置し、かつ所定の表面に実質的に自由に重なる複数のクッション裏打ちカーペットタイルを含み、前記カーペットタイルのそれぞれは複数のコーナーを有し、前記コーナーは約３／１６”以下のカップ及び約１／１６”以下のカールを有する接着剤フリークッション裏打ちカーペットタイル設置構造。
【請求項６】
ａ）固定装置又は手段を用いて、少なくとも１つのインジケーターカーペットを所定の表面に可逆的に固定する工程、
ｂ）前記インジケーターカーペットと突き合う第２のカーペットタイルを前記表面に載置する工程、
ｃ）前記インジケーターカーペット及び第２のカーペットタイルの少なくとも１つと突き合う第３のカーペットを前記表面に載置する工程、
ｄ）前記インジケーターカーペット、第２のカーペットタイル、及び第３のカーペットの少なくとも１つと突き合う少なくとも１つの後続するカーペットタイルを前記表面に載置する工程、
ｅ）前記インジケーターカーペットを除去し、前記固定装置又は手段を除去する工程、及び
ｆ）前記インジケーターカーペットを再載置するか又は前記インジケーターカーペットの空いた位置に新たなカーペットタイル載置する工程
を具備する、接着剤フリークッション裏打ちカーペットタイルを所定の表面に敷く方法。
【請求項７】
前記インジケータータイルは、前記表面の実質的に表面に置かれる請求項６に記載の接着剤フリークッション裏打ちカーペットタイルを敷く方法。
【請求項８】
前記表面が実質的に覆われるまで、追加の後続のカーペットタイルを載置する工程を繰り返す工程を更に具備する請求項６に記載の接着剤フリークッション裏打ちカーペットタイルを敷く方法。
【請求項９】
前記クッション裏打ちカーペットタイルのそれぞれは、約３／１６”以下のカップ及び約１／１６”以下のカールを有する請求項６に記載の接着剤フリークッション裏打ちカーペットタイルを敷く方法。
【請求項１０】
その摩擦係数を増加させるように前記表面を処理する工程を更に具備する請求項６に記載の接着剤フリークッション裏打ちカーペットタイルを敷く方法。
【請求項１１】
ａ）前記表面の摩擦係数を増加させる工程、
ｂ）インジケーターカーペットを前記表面に敷く工程、
ｃ）前記インジケーターカーペットと突き合う第２のカーペットタイルを前記表面に載置する工程、
ｄ）前記インジケーターカーペット及び第２のカーペットタイルの少なくとも１つと突き合う第３のカーペットを前記表面に載置する工程、及び
ｅ）前記インジケーターカーペット、第２のカーペットタイル、及び第３のカーペットの少なくとも１つと突き合う少なくとも１つの後続するカーペットタイルを前記表面に載置する工程
を具備する、クッション裏打ちカーペットタイルを所定の表面に可逆的に敷く方法。
【請求項１２】
フロアから自由に解放される複数のクッション裏打ちカーペットタイルを具備する、フロアを覆うためのモジュールフロアカバーシステム。
【請求項１３】
前記クッション裏打ちカーペットタイルは横方向の位置ずれが防止される、請求項１２に記載のモジュールフロアカバーシステム。
【請求項１４】
複数のクッション裏打ちカーペットタイルを具備し、それぞれのカーペットタイルが少なくとも１つの他のカーペットタイルと交換可能であり、前記カーペットタイルは、複数のクッション裏打ちカーペットタイル上のパターンを変更するように移動され得る、モジュールフロアカバーシステム。
【請求項１５】
所定の表面に設置された複数のクッション裏打ちカーペットタイル、及び前記表面にではない少なくとも１つの交換クッション裏打ちカーペットタイルを具備し、前記交換クッション裏打ちカーペットタイルは、前記設置されたクッション裏打ちカーペットタイルの少なくとも１つに対する指標パターンを有し、少なくとも１つの設置されたクッション裏打ちカーペットタイルは、前記交換クッション裏打ちカーペットタイルと交換され得るモジュールフロアカバーシステム。
【請求項１６】
接着剤なしに使用するのに適したクッション裏打ちカーペットタイルであって、その頂部側から突出する糸を有する上部織物表面、前記上部織物表面の下のポリウレタンクッション、及び前記上部織物表面と前記ポリウレタンクッションとの間の補強層を具備し、クッション裏打ちカーペットタイルは複数のコーナーを有し、前記コーナーのそれぞれは約３／１６”以下のカップ及び約１／１６”以下のカールを有する、クッション裏打ちカーペットタイル。
【請求項１７】
接着剤を用いない設置に適切なカーペットタイルであって、上部織物面及びフォーム材料層を含み、前記フォーム材料層は前記上部織物面の下に機能的に固定されており、前記フォーム材料層は前記上部織物面に対する押圧力にクッション性を提供するように適合されており、前記カーペットタイルは複数のコーナーを有し、前記コーナーのそれぞれは約３／１６”以下のカップ及び約１／１６”以下のカールを有するカーペットタイル。
【請求項１８】
接着剤を用いない設置に適切なカーペットタイルであって、約１２−４０オンス／平方ヤードの繊維面重量を有する上部織物面及びフォーム材料層を含み、前記フォーム材料層は前記上部織物面の下に機能的に固定されており、前記フォーム材料は約０．１０〜お。２５インチの厚さを有し、前記フォーム材料層は前記上部織物面に対する押圧力にクッション性を提供するように適合されており、前記カーペットタイルは複数のコーナーを有し、前記コーナーのそれぞれは約３／１６”以下のカップ及び約１／１６”以下のカールを有するカーペットタイル。
【請求項１９】
複数のクッション裏打ちカーペットタイルを具備し、それぞれのクッション裏打ちカーペットタイルは、その頂部側から突出する糸を有する上部織物表面、前記上部織物表面の底部側に取り付けられたポリウレタンクッション、前記ポリウレタンクッションに取り付けられたフェルト、及びそれぞれが約３／１６”以下のカップ及び約１／１６”以下のカールを有する複数のコーナーを具備する、浸透可能なフロアカバーシステム。
【請求項２０】
エレメント、及び前記エレメントに対する接着剤を用いない設置のために適合され、それぞれが約３／１６”以下のカップ及び約１／１６”以下のカールを有する複数のコーナーを備えるクッション裏打ちカーペットタイルを具備する、フロアへの設置のためのフローリングシステム。
【請求項２１】
除去され得る、再構成され得る、置換され得る、交換され得る、１つの部屋から他の部屋に移動され得る、１つの領域から他の領域に移動され得る、置換された内層が更新され得る、複数の接着剤を用いないクッション裏打ちカーペットタイルを具備する、意図的にモジュール交換可能なフローリングシステム。
【請求項２２】
電線、ケーブル又は配線、配水管、センサー、電話線又は配線、コンピューターケーブル又は配線、他のワイヤー又はケーブル、アクセルパネル等のようなフロア下アイテムを修理する簡易な方法であって、フロアを無接着剤カーペットタイルで覆う工程、
フロア下アイテムを修理するため、必要に応じて、選択されたタイルを持ち上げる工程、及び
持ち上げたタイルを交換する工程
を具備する方法。
【請求項２３】
配水管、電線、ケーブル又はコンセント、同軸ケーブル、電話線、他のケーブル、コンピューターケーブル又は配線、ワイヤー、アクセスパネル等のようなフロア下アイテムへの容易なアクセスを提供するフローリングシステムであって、接着剤フリーカーペットタイル設置構造を具備するフローリングシステム。
【請求項２４】
フロア面に設置された、隆起したアクセルフロアパネル上に設置された接着剤フリーカーペットタイルを具備するフローリングシステム。
【請求項２５】
家具を一方の側に移動する法定、
接着剤フリーカーペットタイルを持ち上げ、再配置し、設置する工程、
損傷した、又はサイズの合わない接着剤フリーカーペットタイルを交換する工程、及び
家具を新たな位置に移動する工程
を具備するオフィス又は作業室のような領域を再配列する方法。
【請求項２６】
配線、ケーブル、導管、配水管、安全装置等のようなフロア下カバーアイテムへの容易なアクセスを提供する方法であって、
前記アイテムを、必要に応じて持ち上げ、交換され得る接着剤フリーカーペットタイルで覆う工程を具備する方法。
【請求項２７】
前記タイルは、正方形、八角形、多角形、及び長方形の少なくとも１種である、請求項２６に記載の方法。